(57)【特許請求の範囲】
【請求項１】
キーの切り込み面に当接し、キーの切り込み深さ幅を認識する切り込み深さ幅認識杆（１０）と、
該切り込み深さ幅認識杆（１０）を前記キーの切り込み面側へ付勢させる付勢部材（１１）と、
前記切り込み深さ幅認識杆（１０）で認識されたキーの切り込み形状を、略同一形状になぞって複製用キーを切削する切削部材（１２）と、
を備えたキー複製装置において、
キーの切り込みを認識する側での掴み部を有する固定装置（１）に握持された切り込み認識用キーと、
切り込み深さ幅認識杆（１０）で当接した切り込み認識用キーの切り込み面箇所を所定の切り込み深さ幅とする切り込み深さ生成スペーサ（１４）と、
切り込み深さ幅認識杆（１０）の後端側に設けられた収納空間（１３）と、
を有し、
該収納空間（１３）に前記切り込み深さ生成スペーサ（１４）を収納可能とすると共に、該切り込み深さ生成スペーサ（１４）は複製すべきキーの切り込み形状にあわせて交換可能としたことを特徴とするキー複製装置におけるキーの切り込み形状認識決定冶具。
【発明の詳細な説明】
【０００１】
【産業上の利用分野】
本発明は、キー複製装置におけるキーの切り込み形状認識決定冶具に関するものである。
ここで、キー複製装置とは、元キー（複製しようとする元のキー）のキーの切り込み形状外周をガイド部材（キーの切り込み形状認識治具）がなぞることにより、カッター刃が前記ガイドと同じ軌道で動作するよう構成され、切削前のいわゆるノーカットのキーを元キーのキーの切り込み形状通りに切削して複製キーを製作する装置を指標するものである。
【０００２】
そして、該キー複製装置においては、前記元キーのキー形状外周をガイド部材が正確になぞれる様にするために、該元キーを正確に掴んで固定すると共に、切削前のいわゆるノーカットのキーを元キーのキー形状通りに切削すべく、該ノーカットキーを正確に掴んで固定する治具を一般に有している。
【０００３】
【従来の技術】
図６に図示された本発明によるキー複製装置を参考に従来の技術を説明する。該キー複製装置は前述のように、まず元キー３０（複製しようとする元のキー図９に示す）を固定する元キー及びガイドキー固定治具１と、切削前のいわゆるノーカットキーを固定するノーカットキー固定治具２とを有している。
【０００４】
そして、元キー及びガイドキー固定治具１に対向する位置には該元キーのキー形状外周をガイドするガイド部材３が設けられ、ノーカットキー固定治具２に対向する位置には前記ガイド部材３が元キーの形状外周をなぞった通りに切削するよう切削治具４が設けられている。
しかして、元キー３０を元キー及びガイドキー固定治具１で固定し、そのキーの切り込み形状をガイド部材３でなぞるとともに、ノーカットキー固定治具２に固定されたノーカットキーを切削治具４で元キーと同一の軌道でなぞり、同一の形状外周にするよう切削し、もって複製キーを製作するものとしている。
【０００５】
しかしながら、複製しようとする元キー３０が原品でなく既に数回複製されたものである場合には、その元キー３０の切り込み形状が微妙にずれていたり、狂っていたりしていることがあり、そのような元キー３０からさらに複製キーを作ると、解錠できないキーを製作してしまうおそれがある。
ところで、従来、ガイド部材３は図７に示すように構成されている。
【０００６】
すなわち、ガイド杆５と、このガイド杆５を先端方向に突出して付勢させるバネ部材６と、ガイド杆５を突出可能に保持する保持部材７と、保持部材７の後端で前記ガイド杆５の突出幅を調節するつまみ部材８と、を有して構成されているのである。
そして、通常、ガイド部材３においてガイド杆５の突出幅は通常は基準値（例えばつまみの表示で０の位置）に設定されており、この基準値に設定されたガイド杆５の先端でいわゆる元キー３０の切り込み形状外周をなぞることにより、切削治具４が同一軌道で作動し、もって複製すべきキーに切り込み形状を形成して複製キーが作られるのである。
【０００７】
しかして従来は、複製しようとする元キー３０が原品でなく既に数回複製されたものである場合には、図８に図示するような、所定のガイドキー３１を元キー及びガイドキー固定治具１に固定して基準のキーとし、次いで、原品でなく既に数回複製された元キー３０をも参考にして、キーの長手方向の各ピッチ毎に存する正確な切り込み深さを求め、前記ガイド部材３におけるガイド杆５の突出幅を変更できるようにしていた。
【０００８】
すなわち、前述のように元キー３０が原品でなく既に数回複製されて、キーの切り込み形状が微妙にずれていたり、狂っていたりしているものである場合には、元キー３０を使用せず、図８に示すようないわゆるガイドキー３１を基準のキーとし、作業者によってガイド部材３のつまみ部材８を回転させてあらかじめキーの長手方向の各ピッチ毎に存する切り込み深さ深さを求め、もってノーカットキー固定治具２に固定された複製すべきノーカットキーを切削して複製キーを製作していたのである。
【０００９】
例えば、元キー及びガイドキー固定治具１に、複数種類あるガイドキー３１の中から前記元キー３０に対応するようなガイドキー３１を選択して固定し、前記元キー３０についての切り込み形状から正しい切り込み形状を割り出し、次につまみ部材８を回転させながらキーの長手方向に存するピッチ間における切り込み深さを求め、その求められた切り込み形状に基づいてノーカットキーを切削し複製キーを製作するのである。
【００１０】
【発明が解決しようとする課題】
しかしながら、このような従来の装置であると、いちいち前記つまみ部材８を右左方向に廻しながら各ピッチ間における切り込み深さを割り出さなければならず、そのため熟練した操作が必要とされると共に、その操作が極めて面倒であるとの課題があった。
【００１１】
かくして本発明はこのような従来の装置の特に操作上の欠点を解消するために創案されたものであり、元キーが原品でなく既に数回複製されて、キーの切り込み形状が微妙にずれていたり、狂っていたりしているものである場合には、当該元キーを使用せず、該元キーを参照して正確な切り込み形状を割り出し、迅速にその切り込み形状通りに切削作業ができ、もって正確な複製キーを製作し得るようしたキー複製装置におけるキーの切り込み形状認識決定治具を提供することを目的とするものである。
【００１２】
【課題を解決するための手段】
本発明によるキー複製装置におけるキーの切り込み形状認識決定治具は、
キーの切り込み面に当接し、キーの切り込み深さ幅を認識する切り込み深さ幅認識杆１０と、
該切り込み深さ幅認識杆１０を前記キーの切り込み面側へ付勢させる付勢部材１１と、
前記切り込み深さ幅認識杆１０で認識されたキーの切り込み形状を、略同一形状になぞって複製用キーを切削する切削部材１２と、
を備えたキー複製装置において、
キーの切り込みを認識する側での掴み部を有する固定装置１に握持された切り込み認識用キーと、
切り込み深さ幅認識杆１０で当接した切り込み認識用キーの切り込み面箇所を所定の切り込み深さ幅とする切り込み深さ生成スペーサ１４と、
切り込み深さ幅認識杆１０の後端側に設けられた収納空間１３と、
を有し、
該収納空間１３に前記切り込み深さ生成スペーサ１４を収納可能とすると共に、該切り込み深さ生成スペーサ１４は複製すべきキーの切り込み形状にあわせて交換可能として構成されている。
【００１３】
【作用】
本発明では元キーが原品でなく既に数回複製されて、キーの切り込み形状が微妙にずれていたり、狂っていたりしているものである場合には、そのキーの切り込み形状をなぞっての複製キーの製作はしない。
複製キーの繰り返し複製は精度が悪化し、施解錠できないキーをもたらすからである。
【００１４】
よって、なぞり複製できない元キーに対応するガイドキーを複数種類のガイドキーの中から選択して用意すると共に、前記元キーから正確な切り込み形状をキーの長手方向各ピッチ毎に割り出し、その切り込み形状にあった切り込み形状生成スペーサ１４を用意するのである。
そして、該切り込み形状生成スペーサ１４を収納空間１３内に装着して、正確な切り込み形状を作り出し、その切り込み形状に沿ってキーを切削するものとしてある。
【００１５】
【実施例】
以下、本発明を図に示す好適な実施例に基づいて説明する。
図６に本発明によるキー複製装置を示す。
そして該キー複製装置を構成する部材は従来の技術の項で説明したものとほぼ同様の部材が使用されている。
【００１６】
しかして、本発明ではガイド部材３の代わりにキーの切り込み形状認識決定治具９が交換可能に取り付けられている。
キーの切り込み形状認識決定治具９は、図１に示すように、キーの切り込み面に当接し、キーの切り込みの深さ幅を認識する切り込み深さ幅認識杆１０を有している。
【００１７】
さらに切り込み深さ幅認識杆１０をキーの切り込み面側へ押しつける、すなわち該切り込み深さ幅認識杆１０を突出させる付勢力を有する様にした付勢部材１１を有している。
そして、前記切り込み深さ幅認識杆１０をキーの切り込み面に当接して認識されたキーの切り込み形状と略同一の軌道になぞって複製すべきノーカットキーが切削部材１２（図６参照）により切削される。
【００１８】
また、本発明によるキーの切り込み形状認識決定治具９は前記切り込み深さ幅認識杆１０をその先端側に突出させる突出幅が変更できるよう構成されており、かつその後端側には略方形状をなす収納空間１３が設けられている。
ここで、この収納空間１３には切り込み深さ生成スペーサ１４が交換可能にして収納されている。
【００１９】
該切り込み深さ生成スペーサ１４は図３乃至図５に示すごとく形成されており、各種キーの切り込み形状の違いに合わせ、それぞれの種類のものが交換可能に用意されている。
尚、図３乃至図５で示す各切り込み深さ生成スペーサ１４の数字７．０で示す切り込み１５については基準位置とされるものであり、この位置に切り込み深さ認識杆１０の後端を当接させ、切り込み深さ認識杆１０の先端で元キー３０のキーの切り込み形状外周をなぞり、その同一軌道で切削して複製キーが製作できるものとされている。
【００２０】
しかして、図３に示す切り込み深さ生成スペーサ１４では、数字７．７で示す切り込み１６、８．４で示す切り込み１７、９．１で示す切り込み１８及び９．５で示す切り込み１９はそれぞれある所定のキーで使用される切り込み深さと対応させた切り込みを示すものであり、これらの切り込み部を切り込み深さ認識杆１０と直交する方向へ移動させて切り込み深さ認識杆１０の後端に当接させることにより元キーの切り込み形状が不正確な切り込み深さであったとしても簡単な作業で正常な切り込み深さのキーを複製できることになる。
【００２１】
すなわち、これら切り込み深さ生成スペーサ１４は図２に示すようにキーの切り込み形状認識決定治具９の左側からその収納空間１３へ交換可能に収納できる。
そして、この切り込み深さ生成スペーサ１４にはノブ２０が設けられており、このノブ２０をつまんで予め収納空間１３の上端側に記載されている数字、例えば０、１、２、３、４の位置にノブ２０を合わせることにより各ピッチ毎の所定の切り込み深さを決定できる様構成されているのである。
【００２２】
ここで、図３に示す切り込み深さ生成スペーサ１４では使用すべき切り込みピッチが５つのものであり、図４に示す切り込み深さ生成スペーサ１４は使用すべき切り込みピッチが６個使用するタイプのキー用である。
この様に、複製できるキーについては、通常使用すべき切り込み形状がある程度解っており、それらを予め組み込んでおいた切り込み深さ生成スペーサ１４を複数種類用意しておけば、複数の中から選択されたガイドキー３１と共に、これらを交換するだけで各種類のキー複製に対応させることができるのである。
【００２３】
ところで、従来はこの切り込み深さの変更については前述したように、図７に示すつまみ部材８を左右に回転することにより、ガイド杆５の後端に形成された雄ネジとつまみ部材８の雌ネジとの螺合幅を変更し、これによりガイド杆５の先端側突出幅を調整していた。
しかしながら、当該つまみ回転調節では正確に突出幅を調整するにはかなりの熟練作業を要する。
【００２４】
すなわち、次の切り込みピッチについてはどの程度回転させればよいかを正確に認識することは極めて面倒で困難なものだからである。
これに対して本発明では予め形成された切り込み深さ生成スペーサ１４を各種類のものから選択するだけでよく、これによって熟練した者でなくても簡単に精密なキーが複製できることとなる。
【００２５】
【発明の効果】
本発明は以上の構成よりなる。
そして本発明によるキー複製装置におけるキーの切り込み形状認識決定治具であれば、複数種類用意された切り込み深さ生成スペーサを選択して取り付けるだけで、精度の高いキー複製ができる。
【００２６】
すなわち、切り込み深さ生成スペーサを収納空間上端側に記載された数値に合わせて左右に移動するだけで、たとえ複製精度の悪い元キーであっても簡単、迅速に精度の高い複製キーを製作できる。
【図面の簡単な説明】
【図１】本発明によるキーの切り込み認識決定治具を示す一部断面した説明図である。
【図２】本発明によるキーの切り込み認識決定治具を示す概略斜視図である。
【図３】切り込み深さ生成スペーサの構成を説明する説明図（その１）である。
【図４】切り込み深さ生成スペーサの構成を説明する説明図（その２）である。
【図５】切り込み深さ生成スペーサの構成を説明する説明図（その３）である。
【図６】キー複製装置の概略を説明する概略説明図である。
【図７】従来例のガイド部材の構成を示す構成説明図である。
【図８】ガイドキーの構成を示す説明図である。
【図９】元キーの構成を示す説明図である。
【符号の説明】
１  元キー及びガイドキー固定治具
２  ノーカットキー固定治具
３  ガイド部材
４  切削治具
５  ガイド杆
６  バネ部材
７  保持部材
８  つまみ部材
９  キーの切り込み形状認識決定治具
１０  切り込み深さ幅認識杆
１１    付勢部材
１２  切削部材
１３  収納空間
１４  切り込み深さ生成スペーサ
１５  切り込み
１６  切り込み
１７  切り込み
１８  切り込み
１９  切り込み
２０    ノブ
３０  元キー
３１  ガイドキー
【図１】
0003580899.tif 000002
【図２】
0003580899.tif 000003
【図３】
0003580899.tif 000004
【図４】
0003580899.tif 000005
【図５】
0003580899.tif 000006
【図６】
0003580899.tif 000007
【図７】
0003580899.tif 000008
【図８】
0003580899.tif 000009
【図９】
0003580899.tif 000010